(57)【特許請求の範囲】
【請求項１】
外周面に、カメラボディに固定される固定筒内周面に形成されたヘリコイドと螺合する雄ヘリコイドと、該雄ヘリコイドの間に雄ヘリコイドに沿って設けられた、光軸を軸心とするギヤ部を備え、該ギヤ部に噛み合うピニオンの回転により上記ヘリコイドに従って回転しながら光軸方向に移動するヘリコイド環と、前記ギヤ部の一方の終端の歯が当接してヘリコイド環の回転を規制するストッパ部材とを備えたレンズ鏡筒であって、
前記ヘリコイド環の回転および光軸方向移動により回転しないで光軸方向移動するシャッタ装置が搭載された鏡筒と、
前記ヘリコイド環の外周面に沿って光軸方向に配置され、折返部を経て上記シャッタ装置とレンズ鏡筒外の制御回路を接続するフレキシブルプリント基板とを備え、
前記ヘリコイド環には、該ヘリコイド環が回転しながら光軸方向移動するときに前記ギヤ部の端部の歯が前記フレキシブルプリント基板と交差する前に該フレキシブルプリント基板と摺接して持ち上げて前記歯との干渉を防止する干渉防止突部を設けたこと、を特徴とするレンズ鏡筒のストッパ構造。
【請求項２】
前記ギヤ部の終端部には、前記ストッパ部材と前記終端の歯との接触幅が広くなるようにストッパ進入空間が設けられ、前記干渉防止突部は、前記ヘリコイド環が回転しながら光軸方向移動するときに前記ストッパ進入空間と前記フレキシブルプリント基板とが交差する前に該フレキシブルプリント基板と摺接して持ち上げて前記終端の歯との干渉を防止する請求項１記載のレンズ鏡筒のストッパ構造。
【発明の詳細な説明】
【０００１】
【発明の技術分野】
本発明は、レンズ鏡筒のストッパ構造に関する。
【０００２】
【従来技術およびその問題点】
従来のコンパクトカメラのズームレンズの鏡筒構造として、３段繰出し鏡筒が知られている。従来の３段繰出し鏡筒は、カメラボディに固定される固定鏡筒と、その内側の繰出し鏡筒とがヘリコイド結合されていて、さらに繰出し鏡筒の内側の繰出し鏡筒の繰出し構造としてカム構造が用いられたものが知られている。また、全ての繰出し構造としてヘリコイド構造を用いたものも知られている。
【０００３】
このような多段繰り出し式レンズ鏡筒は、鏡筒が通常使用位置よりも繰り出されて抜け落ちるのを防止するために、抜け止めリングを鏡筒に嵌めるなどの構造によっていた。しかし、鏡筒を分解するときには抜け止めリングを外さなければならず、分解が容易ではなかった。
【０００４】
【発明の目的】
本発明は、多段繰出し式レンズ鏡筒に関す従来の問題に鑑みてなされたもので、鏡筒の抜け落ちを防止する、部品点数が少なく分解が容易なストッパ構造を提供することを目的とする。また、フレキシブルプリント基板など他の部材がストッパ構造に干渉するのを防止できるレンズ鏡筒のストッパ構造を提供することを目的とする。
【０００５】
【発明の概要】
この目的を達成する本発明は、外周面に、カメラボディに固定される固定筒内周面に形成されたヘリコイドと螺合する雄ヘリコイドと、該雄ヘリコイドの間に雄ヘリコイドに沿って設けられた、光軸を軸心とするギヤ部を備え、該ギヤ部に噛み合うピニオンの回転により上記ヘリコイドに従って回転しながら光軸方向に移動するヘリコイド環と、前記ギヤ部の一方の終端の歯が当接してヘリコイド環の回転を規制するストッパ部材とを備えたレンズ鏡筒であって、前記ヘリコイド環の回転および光軸方向移動により回転しないで光軸方向移動するシャッタ装置が搭載された鏡筒と、前記ヘリコイド環の外周面に沿って光軸方向に配置され、折返部を経て上記シャッタ装置とレンズ鏡筒外の制御回路を接続するフレキシブルプリント基板とを備え、前記ヘリコイド環には、該ヘリコイド環が回転しながら光軸方向移動するときに前記ギヤ部の端部の歯が前記フレキシブルプリント基板と交差する前に該フレキシブルプリント基板と摺接して持ち上げて前記歯との干渉を防止する干渉防止突部を設けたこと、に特徴を有する。
【０００６】
【発明の実施の形態】
以下図面を参照して本発明の実施の形態について説明する。この実施の形態は、本発明を、沈胴式の４段ズームレンズ鏡筒に適用した実施形態である。
【０００７】
このズームレンズ鏡筒は図１から図５に示すように沈胴式の４段鏡筒であり、カメラボディに固定される固定筒１２と、固定筒１２に支持されて光軸に沿って相対的に進退する４段の繰出し鏡筒として、第１外観筒１７、第２外観筒２３、第３外観筒（カム環）３０および第４外観筒（レンズ支持筒）３１を備えている。
このズームレンズ鏡筒は、固定鏡筒１２に対して第１外観鏡筒１７が、第１外観鏡筒１７に対して第２外観筒２３が、第２外観筒２３に対して第３外観筒３０がそれぞれヘリコイド繰出し構造によって結合されている。そして第４外観筒３１は、第３外観筒３０に対してカム構造によって連結されている。本実施の形態では、第１外観筒１７および第２外観筒２３を、ヘリコイドを有するヘリコイド環とは別個に形成し、さらにズームレンズ鏡筒が通常最も繰り出されるテレ端位置からさらに繰り出された位置（分解・組み立て位置）において第１外観筒１７および第２外観筒２３を着脱可能に形成してある。第４外観筒３１の先端部に装着されたレンズバリヤ９２、９３は、第４外観筒３１および第３外観筒３０の、収納位置と撮影可能な最短繰出し位置（本実施例ではワイド端位置）との間の相対的な光軸方向移動により開閉駆動される。
さらに本実施の形態のズームレンズ鏡筒は、第２外観筒２３および第３外観筒３０を移動させるヘリコイド繰出し構造に、収納位置とワイド位置間において、第２外観筒２３および第３外観筒３０の回転は許容するが光軸方向には移動させない空転区間を設けてある。つまり本実施例では、収納状態からワイド位置方向への繰出しにおいて第２外観筒２３および第３外観筒３０は同一速度で回転するが相対的な光軸方向移動はしない空転区間を有する。この空転区間において、第１外観筒１７は回転および光軸方向移動し、第４外観筒３１は回転しないで第３外観筒３０に対して相対的に光軸方向に移動して、第４外観筒３１と第３外観筒３０の相対的な光軸方向移動によりバリヤ９２、９３を開閉駆動する。
【０００８】
このズームレンズ鏡筒のより詳細な全体構造について、先ず図１乃至図７を参照して説明する。図１は、このズームレンズ鏡筒を分解して主要部を示す斜視図である。なお、本明細書において、被写体側を前方、カメラボディ（フィルム）側を後方という。
【０００９】
カメラボディ１１に固定される固定筒１２には、その内周面に雌ヘリコイド１２ａが形成されている。この雌ヘリコイド１２ａには、第１ヘリコイド環１４の外周に形成された雄ヘリコイド１４ａが螺合している。一方、固定筒１２の外側には、ズーミング用モータ１５によって回転駆動されるピニオン１６が位置しており、このピニオン１６に、雄ヘリコイド１４ａの一部を切除し、切除部分の両側の雄ヘリコイド１４ａに沿って第１ヘリコイド環１４の外周に形成したギヤ部１４ｂが噛み合っている。第１ヘリコイド環１４の前部には第１外観筒１７が結合されている。
【００１０】
第１ヘリコイド環１４と第１外観筒１７は、第１ヘリコイド環１４の前端部に形成した結合部１４１および第１外観筒１７の後端部に形成した結合部１７１の係合によって一体に回動するように結合される。第１外観筒１７内には、該第１外観筒１７と相対回動が可能で光軸方向には一緒に移動する（光軸方向への相対移動ができない）第１直進案内環１８が支持されている。この第１直進案内環１８は、直進案内突起１８ａが固定筒１２の直進案内溝１２ｂに係合することで、固定筒１２に対して回転しないで光軸方向の直進移動（進退）のみ可能に支持されている。
【００１１】
第１外観筒１７は、内周面に周方向に延びる周方向溝１７２が、光軸方向に所定長離反して２本形成され、各周方向溝１７２に、第１直進案内環１８の外周面に突設されたキー１８１が嵌合している。従って第１外観筒１７は、このキー１８１および周方向溝１７２に拘束されて、第１直進案内環１８に対して相対的に回転するが、光軸方向には一緒に進退するように規制されている。
従って、ズーミング用モータ１５が回転すると、減速ギヤ列１５ａ、ピニオン１６およびギヤ部１４ｂを介して第１ヘリコイド環１４が回転し、該第１ヘリコイド環１４、第１外観筒１７および第１直進案内環１８の結合体が光軸方向に進退する。その際第１ヘリコイド環１４および第１外観筒１７は、雌ヘリコイド１２ａと雄ヘリコイド１４ａのリードに従って回転しながら光軸方向に進退し、第１直進案内環１８は回転しないで第１ヘリコイド環１４および第１外観筒１７と一緒に光軸方向に進退する。
上記結合部１４１と結合部１７１、およびキー１８１と周方向溝１７２は、第１ヘリコイド環１４と第１外観筒１７、第１外観筒１７と第１直進案内環１８が所定の相対回転角（組み立て・分解位置）にあるときに光軸方向移動させて係脱可能に形成されている。
また固定筒１２に対する第１直進案内環１８の光軸方向の移動位置が所定の間隔で段階的なズームステップとして、該第１直進案内環１８と固定筒１２にそれぞれ固定したブラシ１９とコード板２０によって検出される。なお、第１外観筒１７の先端部には、飾り環１７４が固定される。
【００１２】
第１直進案内環１８の内周には雌ヘリコイド１８ｂが形成され、この雌ヘリコイド１８ｂには、第２ヘリコイド環２１の外周に形成された雄ヘリコイド２１ａが螺合している。第２ヘリコイド環２１は、その外周に一対の案内コマ２１ｂを備え、各案内コマ２１ｂは、第１直進案内環１８に形成したコマ逃がし溝１８ｃを通して、第１外観筒１７の内周に形成したコマ案内溝１７ａ（図６、８）に係合している。コマ逃がし溝１８ｃは雌ヘリコイド１８ｂと同傾斜の貫通長孔であり、コマ案内溝１７ａはズームレンズ系の光軸Ｏと平行な直線溝である。案内コマ２１ｂは、コマ逃がし溝１８ｃを貫通する部分は断面円形の円柱形状に形成されているが、コマ案内溝１７ａに嵌合する先端部分は、コマ案内溝１７ａが延びる方向に長い断面長方形の直進キー状に形成されている。
【００１３】
第２ヘリコイド環２１の前部には第２外観筒２３が結合されている。第１ヘリコイド環１４と第１外観筒１７と同様に、第２ヘリコイド環２１と第２外観筒２３は、第２ヘリコイド環２１の前端部に形成した結合部（凹部）２１１および第２外観筒２３の後端部に形成した結合部（凸部）２３１の係合によって一体に回動および進退するように結合されている。結合部１４１、１７１と同様にこれらの結合部２１１、２３１も、第２ヘリコイド環２１と第２外観筒２３が特定の相対回転角（組み立て・分解位置）にあるときに係脱可能に形成されている。
【００１４】
第２外観筒２３内には、該第２外観筒２３と相対回動が可能で光軸方向には一緒に移動する（光軸方向への相対移動ができない）第２直進案内環２５が支持されている。この第２直進案内環２５は、直進案内突起２５ａが第１直進案内環１８の直進案内溝１８ｄに係合することで、第１直進案内環１８に対して光軸方向の相対直進移動のみ可能に支持されている。
【００１５】
第２外観筒２３は、内周面に周方向に延びる周方向溝２３２が、光軸方向に所定長離反して２本形成され、各周方向溝２３２に、第２直進案内環２５の外周面に突設されたキー２５１が嵌合している。従って第２外観筒２３は、このキー２５１および周方向溝２３２に拘束されて、第２直進案内環２５に対して相対的に回転するが、光軸方向には一緒に進退するように規制されている。
【００１６】
従って、ズーミング用モータ１５が回転すると、減速ギヤ列１５ａおよびピニオン１６を介して第１ヘリコイド環１４および第１外観筒１７が回転しながら進退し、第１直進案内環１８が回転しないで光軸方向に進退するので、該第２ヘリコイド環２１、第２外観筒２３および第２直進案内環２５の結合体が光軸方向に進退する。その際第２ヘリコイド環２１および第２外観筒２３は、案内コマ２１ｂとコマ逃がし溝１８ｃおよびコマ案内溝１７ａとの係合関係によって第１外観筒１７に対して該第１外観筒１７と一緒に回転しながら、かつ雄ヘリコイド２１ａと雌ヘリコイド１８ｂのリードに従って第１外観筒１７に対して光軸方向に相対的に進退し、第２直進案内環２５は直進案内突起２５ａと直進案内溝１８ｄとの係合に規制されて回転しないで第２ヘリコイド環２１および第２外観筒２３と一緒に進退する。
また、上記結合部２１１と結合部２３１、およびキー２５１と周方向溝２３２は、第２ヘリコイド環２１と第２外観筒２３、第２外観筒２３と第２直進案内環２５が所定の相対回転角（組み立て・分解位置）にあるときに光軸方向移動させて係脱可能に形成されている。
【００１７】
第１直進案内環１８と同様に、第２直進案内環２５の内周面には雌ヘリコイド２５ｂが形成され、この雌ヘリコイド２５ｂには、第３外観筒（カム環）３０の後端部外周に形成された雄ヘリコイド３０ａが螺合している。第３外観筒３０は第２ヘリコイド環を兼ねており、その後端部の外周に一対の案内コマ３０ｂを備え、各案内コマ３０ｂは、第２直進案内環２５に形成したコマ逃がし溝２５ｃを貫通して、第２外観筒２３の内周に形成したコマ案内溝２３ａに係合している（図８、図１４）。案内コマ３０ｂは、コマ逃がし溝２５ｃを貫通する部分は断面円形の円柱形状に形成されているが、コマ案内溝２３ａに嵌合する部分はコマ案内溝２３ａが延びる方向に長い断面長方形状に形成されている。
コマ逃がし溝２５ｃは雌ヘリコイド２５ｂと同傾斜の貫通長孔であり、コマ案内溝２３ａは光軸Ｏと平行な直線溝である。
【００１８】
第３外観筒３０内には、該第３外観筒３０と相対回動が可能で光軸方向には一緒に移動する（光軸方向への相対移動ができない）第３直進案内環３３が支持されている。第３直進案内環３３は、外周に複数の直進案内突起３３ａが形成され、各直進案内突起３３ａが第２直進案内環２５内周の直進案内溝２５ｄに係合することで、光軸方向の直進移動のみ可能となっている。
【００１９】
従って、ズーミング用モータ１５が回転すると、第１ヘリコイド環１４および第１外観筒１７が回転しながら光軸方向に進退し、第１直進案内環１８が回転しないで第１ヘリコイド環１４および第１外観筒１７と一緒に光軸方向に進退し、第２ヘリコイド環２１および第２外観筒２３が第１外観筒１７に対して同一回転速度で一緒に回転しながら光軸方向に相対的に進退し、第２直進案内環２５が回転しないで第２ヘリコイド環２１および第２外観筒２３と一緒に進退するので、第３外観筒３０および第３直進案内環３３は、案内コマ３０ｂとコマ逃がし溝２５ｃおよびコマ案内溝２３ａの結合関係によって第２外装筒２３と同一の回転速度で一緒に回転するとともに雄ヘリコイド３０ａと雌ヘリコイド２５ｂのリードに従って第２外観筒２３に対して光軸方向に相対的に進退し、第３直進案内環３３は直進案内突起３３ａと直進案内溝２５ｄの係合に規制されて回転しないで第３外観筒３０と一緒に光軸方向に進退する。なお、第３外観筒３０は、ヘリコイド３０ａが設けられた部分よりも前方部分が第２外観筒２３から露出してレンズ鏡筒の外観を構成する。
【００２０】
第３外観筒３０内にはまた、その前方から順に、第１変倍レンズ群（第１サブ群Ｓ１、第２サブ群Ｓ２）Ｌ１を有する第４外観筒（レンズ支持筒）３１と、第２変倍レンズ群Ｌ２を固定した後群レンズ枠３２とが位置しており、この第４外観筒３１と後群レンズ枠３２が第３直進案内環３３によって光軸方向に直進案内されている。具体的には、図９及び図１０に示すように、第３直進案内環３３を構成する３個の部分円筒状腕部３３ｂには、その表裏（外周面と内周面）に光軸Ｏと平行な直進案内溝３３ｃ、３３ｄが形成され、各直進案内溝３３ｃには、第４外観筒３１の内周に設けた直進案内突起（不図示）が摺動可能に嵌合し、各直進案内溝３３ｄには、後群レンズ枠３２の外周に設けた直進案内突起３２ａが摺動可能に嵌合している。
【００２１】
第３外観筒３０の内周面には、第４外観筒３１および後群レンズ枠３２用の有底カム溝３５および有底カム溝３６が形成されている。図１２は、この有底カム溝３５、３６の展開形状を示している。有底カム溝３５と有底カム溝３６はそれぞれ周方向に等角度間隔で３組形成されており、第４外観筒３１、後群レンズ枠３２には、これらの有底カム溝３５と有底カム溝３６に嵌まるフォロア突起３１ａ、３２ｂが径方向に突出形成されている。
したがってこの第４外観筒３１、後群レンズ枠３２は、ズーミング用モータ１５が回転して第３外観筒３０が第１外観筒１７、第２外観筒２３と一緒に回転しながら光軸方向に相対的に進退し、第３直進案内環３３が回転しないで第３外観筒３０と一緒に光軸方向に進退すると、直進案内突起（図示せず）と直進案内溝３３ｃとの係合関係により回転しないで、フォロア突起３１ａ、３２ｂと有底カム溝３５、３６との係合関係により第３外観筒３０に対して所定軌跡で光軸方向に進退する。なお、第４外観筒３１は、フォロア突起３１ａが突出形成された後端部よりも前方の部分が第３外観筒３０から突出し、外部に露出してレンズ鏡筒の外観を構成する。
【００２２】
上記ズームレンズ鏡筒は、固定筒１２に対して、第１直進案内環１８、第２直進案内環２５、第３直進案内環３３および第４外観筒３１が回転しないで相対的に光軸方向に直進（直線）的に進退する構成である。
【００２３】
図１２において、有底カム溝３５と有底カム溝３６はそれぞれ、テレ端位置（Ｔ端）から収納位置（収納）までが通常使用領域であり、撮影時には、該通常使用領域のうちテレ端位置（Ｔ端）とワイド端位置（Ｗ端）の間でフォロア突起３１ａとフォロア突起３２ｂを案内する。有底カム溝３６は、このテレ端位置（Ｔ端）とワイド端位置（Ｗ端）の間に中間不連続位置３６ａを有している。有底カム溝３５によって案内される第４外観筒３１内の第１変倍レンズ群Ｌ１は、テレ端位置とワイド端位置の途中で、第１サブ群Ｓ１と第２サブ群Ｓ２を接近位置と離隔位置に移動させる切替機能を有しており、この第１変倍レンズ群Ｌ１における切替時に、第２変倍レンズ群Ｌ２は有底カム溝３６の中間不連続位置３６ａを通過する。この中間不連続位置３６ａの区間は、実際のズーミング域として撮影には用いない（第３外観筒３０を停止させない）ように制御される。
この有底カム溝３５、３６は、テレ端位置を越えた分解・組み立て位置までの領域を備えている。つまりこのズームレンズ鏡筒の組み立て、分解は、この分解・組み立て位置まで回動させた状態で行われる。
【００２４】
「シャッタブロック」
第４外観筒３１内には、シャッタブロック４０が設けられている。シャッタブロック４０内には、前方サブ群枠４５と後方サブ群枠４６が嵌まっている。前方サブ群枠４５には第１サブ群Ｓ１が固定され、後方サブ群枠４６には第２サブ群Ｓ２が固定されている。前方サブ群枠４５（第１サブ群Ｓ１）と後方サブ群枠４６（第２サブ群Ｓ２）は、正逆駆動モータ５３によって駆動されるフォーカシングカム機構により、ワイド端とテレ端の間で光軸方向の相対位置が、ワイド用接近位置とテレ用接近位置の２位置に切り替えらる。そしてそれぞれの位置においてさらに、正逆駆動モータ５３によりフォーカシングカム機構を介して光軸方向に進退され、フォーカシングに利用される。
シャッタブロック４０内にはさらに、第２サブ群Ｓ２よりも後方に、シャッタセクター６０を有するレンズシャッタ装置および絞りセクター６２を有する絞り機構が設けられている。本ズームレンズ鏡筒では、シャッタセクター６０は、任意の絞り値を決定する可変絞り機能とシャッタ機能とを兼用する羽根であり、シャッタレリーズ時に露出値に応じて該シャッタセクター６０の開放量（絞り値）及び開放時間（シャッタスピード）が変化するように制御回路８１を介して電気的に制御される。一方、絞りセクター６２は、特にワイド側撮影距離での撮影開口径の最大値を規制するために設けられており、ズームレンズ鏡筒全体の繰出し状態に応じて機械的に開き量が変化する。つまり、ワイド撮影距離時にズームレンズ系の周辺部を撮影に用いないように開口の大きさを規制する。
【００２５】
絞りセクター６２を開閉させる絞駆動リング６３は、その外周に被動突起６３ｂを有し、該被動突起６３ｂは、第３直進案内環３３の部分円筒状腕部３３ｂ内周に形成した絞制御カム溝７１に係合している（図１０）。ズーミングに際し、第３直進案内環３３とシャッタブロック４０（絞駆動リング６３）は光軸方向に相対移動する。すると、絞制御カム溝７１に従って被動突起６３ｂが周方向に移動され、絞駆動リング６３が回動し、絞りセクター６２の開度が変化する。
図１１に示すように、絞制御カム溝７１は、光軸Ｏと平行な直線状規制部７１ａと、光軸Ｏに対して傾斜する傾斜規制部７１ｂと、第３直進案内環３３の前端部に開口する規制解除部７１ｃとを有しており、直線状規制部７１ａと傾斜規制部７１ｂは、被動突起６３ｂがほぼ遊びなく嵌まる幅となっている。
【００２６】
、シャッタブロック４０の電気部品とカメラボディ内の制御回路８１（図１３）は、シャッタブロック用ＦＰＣ（フレキシブルプリント基板）８０によって接続される。シャッタブロック用ＦＰＣ８０は、ズームレンズ鏡筒の繰出し及び収納動作によるシャッタブロック４０と制御回路８１の相対位置の変化に応じて折り畳み位置を変化させ、他の鏡筒構成部材と干渉を避けるようにＺ字状に折り返され、各外観筒の間に収納されている。
【００２７】
本実施の形態のシャッタブロック用ＦＰＣ８０は、ヘアピン状に折り畳まれた折り畳み部分８０１、８０２が、後方から前方に向かって、第１外観筒１７と第１直進案内環１８の隙間、第２外観筒２３と第２直進案内環２５の隙間に後方から前方に向かって挿入され、第２外観筒２３と第２直進案内環２５から出た折り畳み部分８０２は、第３外観筒３０を跨いで第４外観筒３１内に入り、一方の端部がシャッタブロック４０に接続されている（図２参照）。
【００２８】
シャッタブロック用ＦＰＣ８０の他方の端部は、シャッタブロック４０の前部からシャッタブロック外に引き出されている（図２、図３、図４）。カメラを小型化するためには、シャッタブロック用ＦＰＣ８０の引出し位置選択の自由度が低いため、第１ヘリコイド環１４のヘリコイド１４ａ、ギヤ部１４ｂ等に近接し、しかも第１ヘリコイド環１４のヘリコイド１４ａ、ギヤ部１４ｂの軌跡上にシャッタブロック用ＦＰＣ８０が位置する。このとき、ギヤ部１４ｂの端部がシャッタブロック用ＦＰＣ８０と交差してしまう場合がある（図３６、図３７、図３８）。このような構成において、シャッタブロック用ＦＰＣ８０が撓むと、図３７、図３８に示したように、ギヤ部１４ｂの端部の歯１４ｂ１がシャッタブロック用ＦＰＣ８０に引っかかってしまうおそれがある。そこで本実施の形態では、第１ヘリコイド環１４に、ギヤ部１４ｂの軌跡に沿って干渉防止用のリード１４ａ１を突設してある（図３４、図３６）。
さらにこの実施例では、ギヤ部１４ｂの前方の終端に位置する歯１４ｂ１は、テレ端ストッパ１０１に当接してそれ以上回転しないように制限するストッパとして利用される(図３３)。本実施例では、テレ端ストッパ１０１の進入を許容するように、ギヤ部１４ｂにストッパ進入空間１４ｃを確保してある（図３４）。
【００２９】
「ズームレンズ鏡筒全体の動作」
上記構成のズームレンズ鏡筒は、ズーミング用モータ１５を介してピニオン１６を回転駆動すると、
第１ヘリコイド環１４および第１外観筒１７が回転しながら進退し、第１直進案内環１８が回転しないで第１ヘリコイド環１４および第１外観筒１７と一緒に光軸方向に進退し、
第２ヘリコイド環２１および第２外観筒２３が第１外観筒１７に対して同一回転速度で回転しながら光軸方向に相対的に進退し、第２直進案内環２５が回転しないで第２ヘリコイド環２１および第２外観筒２３と一緒に光軸方向に進退し、第３外観筒３０が第２外観筒２３に対して同一回転速度で回転しながら光軸方向に相対的に進退し、第３直進案内環３３が回転しないで第３外観筒３０と一緒に光軸方向に進退し、
第４外観筒３１が回転しないで光軸方向に相対的に進退（第３外観筒３０は第４外観筒３１に対して相対回転）するので、
最終的には、第３外観筒３０内で光軸方向に直進案内されている第４外観筒３１（第１変倍レンズ群Ｌ１）と後群レンズ枠３２（第２変倍レンズ群Ｌ２）が、有底カム溝３５と有底カム溝３６に従う所定の軌跡で光軸方向に相対的に移動する。
【００３０】
例えば、図２の鏡筒収納状態（沈胴状態）では、ズームレンズ鏡筒は略全体がカメラボディ１１内に収納されており、この鏡筒収納状態からズーミング用モータ１５を鏡筒繰出し方向に駆動させると、ズームレンズ鏡筒は図３のワイド端撮影位置へ繰り出される。ズームレンズ鏡筒は、さらにズーミング用モータ１５を鏡筒繰出し方向に駆動させることによって、ワイド端撮影位置から図４のテレ端撮影位置まで繰出すことができる。
【００３１】
本発明の実施形態では、通常の使用状態においてズームレンズ鏡筒がテレ端撮影位置からさらに繰り出されないように、第１ヘリコイド環１４の回転を規制するテレ端ストッパ１０１を設けてある。このテレ端ストッパ１０１には、図３３に示すように、第１ヘリコイド環１４の最端部の歯１４ｂ１が当接して第１ヘリコイド環１４の回転を阻止する構成である。
図３４に、第１ヘリコイド環１４の展開図を示した。図３４において、下方が前方である。第１ヘリコイド環１４は、雄ヘリコイド１４ａのリードに従って回転しながら進退するが、ギヤ１４ｂは雄ヘリコイド１４ａに沿って形成されているので、テレ端ストッパ１０１は、このギヤ１４ｂの軌跡上に位置し、固定筒１２に外側から装着され、ねじ止めされている（図３５）。このようにテレ端ストッパ１０１を固定筒１２の外方から着脱可能に構成したので、組み立ておよび分解が容易になった。
なお、ギヤ１４ｂの歯先円の直径は、第１外観筒１７の外径より大きくなるように設定されている。
【００３２】
そしてこのズームレンズ鏡筒は、テレ端ストッパ１０１を取り外した状態で、テレ端撮影位置からさらにズーミング用モータ１５を鏡筒繰出し方向に駆動させると、第１ヘリコイド環１４と第１外観筒１７、第２外観筒２３がさらに回転して図５に示す第１外観筒１７および第２外観筒２３の分解・組み立て位置まで繰出すことができる。この実施例では、第１ヘリコイド環１４をテレ端位置から回転角８度回転させると、この分解・組み立て位置に至る。図６は、この分解・組み立て位置において第１、第２外観筒１７、２３を取り外した状態を示している。
【００３３】
ズーミング用モータ１５を繰出し方向とは逆の収納方向に駆動すると、分解・組み立て状態、テレ端状態から、ワイド端状態、さらに収納（沈胴）状態にズームレンズ鏡筒を変化させることができる。実際のズーミングは、ワイド端からテレ端までを複数の焦点距離ステップに分け、各焦点距離ステップでズーミング用モータ１５を停止させてフォーカシングや露出を行うように、ステップワイズに制御される。このとき、前述した第１サブ群Ｓ１と第２サブ群Ｓ２の接離切替に相当する領域は撮影には用いないので、ステップを区切らず、第３外観筒３０（ズーミング用モータ１５）を停止させない。
【００３４】
図１４には、収納位置における第２外観筒２３、第２ヘリコイド環２１、第２直線案内環２５および案内コマ３０ｂの関係を、外方から見た展開図として示してある。この収納位置では、第２直進案内環２５の外周面に円周方向に形成した抜け止めキー２５１が、第２外観筒２３の内周面に周方向に形成した内周溝２３２に係合して、第２外観筒２３と第２ヘリコイド環２１とを相対回転可能にかつ光軸方向には一緒に移動するように規制している。抜け止めキー２５１は、同一円周上のほぼ直径方向に離間した位置に２個、さらに光軸方向に所定長離間した位置に、同一円周上のほぼ直径方向に離間した位置に２個の計４個からなる。また、案内コマ３０ｂは、コマ逃がし溝２５ｃの空転区間２５ｃ１に入っている。
【００３５】
コマ逃がし溝２５ｃの空転区間２５ｃ１は、第３外観筒３０を空転させるための空転区間である。つまり、案内コマ３０ｂが空転区間２５ｃ１に入ると、第２直線案内環２５に対して第３外観筒３０が回転しても案内コマ３０ｂは空転区間２５ｃ１に沿って移動するので、回転しても光軸方向には相対移動しない。この空転区間２５ｃ１は、ズームレンズ鏡筒の収納位置とワイド端位置の間の区間に設けられている。
【００３６】
この収納位置状態からズーミング用モータ１５を繰出し方向に回転させ、テレ端位置に達したときの第２外観筒２３、第２ヘリコイド環２１、第２直線案内環２５および案内コマ３０ｂの関係を、図１４と同様に展開して図１５に示してある。このテレ端位置における第２外観筒２３と第２直線案内環２５は、各抜け止めキー２５１の一部分が周方向溝２３２から出て切れ目２３３に入っているが、各抜け止めキー２５１の一部は周方向溝２３２に入っているので、第２外観筒２３は第２直線案内環２５に対して光軸方向には移動しない（抜けない）ように、つまり相対回転はするが光軸方向には一緒に進退するように係合している。このテレ端状態からズーミング用モータ１５を繰出し方向に回転させても、使用状態では、第１ヘリコイド環１４のギヤ１４ｂがテレ端ストッパ１０１に当接してそれ以上第１ヘリコイド環１４を回転させることができない。
このテレ端ストッパ１０１を取り外すと第１ヘリコイド環１４がフリーになり、ズーミング用モータ１５をさらに繰出し方向に回転させることができる。
【００３７】
テレ端ストッパ１０１を取り外して上記テレ端状態からさらにズーミング用モータ１５を繰出し方向に回転させ、分解・組み立て位置に達した第２外観筒２３、第２ヘリコイド環２１、第２直線案内環２５および案内コマ３０ｂの関係を図１６に、図１４と同様に展開して示してある。この分解・組み立て位置では、各抜け止めキー２５１が周方向溝２３２から出て切れ目２３３に入っている。したがってこの分解・組み立て位置では、第２外観筒２３を第２直線案内環２５に対して光軸方向に移動させることができる。つまり、第２外観筒２３を取り外し（図１７）、また取り付けることができる（図１６）。
【００３８】
この分解・組み立て位置において第１、第２外観筒１７、２３を引き抜くと案内コマ２１ｂ、３０ｂが露出するので（図６）、さらに案内コマ２１ｂ、３０ｂを取り外すと（図７）、第３外観筒３０、第２ヘリコイド環２１、第１ヘリコイド環１４をさらに繰出し方向に回転させて取り外すことができるようにヘリコイドが形成されている。つまり、このズームレンズ鏡筒の分解は、この分解・組み立て位置において行うことができる。
なお、このズームレンズ鏡筒は、カメラボディに組み付けられ、撮影可能な完成状態ではテレ端位置から分解・組み立て位置方向へは繰り出されないようにズーミング用モータ１５の回転が制御されているが、修理等のために特別なコマンド入力等したときに、ズーミング用モータ１５がテレ端位置を越えて分解・組み立て位置まで回転するように構成されている。
【００３９】
本実施形態では、第２外観筒２３および第２直進案内環２５と同様に、第１外観筒１７および第１直進案内１８も周方溝１７２、内周溝の切れ目１７３および抜け止めキー１８１を備え、前記の分解・組み立て位置において第１直進案内１８に対して第１外観筒１７の分解・組み立て可能に形成されている。
【００４０】
「レンズバリヤ」
第４外観筒３１の先端部にはさらに、第１変倍レンズ群Ｌ１の前方の鏡筒開口を開閉するレンズバリヤ機構が設けられている。レンズバリヤ機構は、第４外観筒３１の前部に固定される化粧板９０、第４外観筒３１の前壁部３１ｂに光軸Ｏを中心として回動可能に支持されるバリヤ駆動環９１、このバリヤ駆動環９１と化粧板９０の間にそれぞれ回動可能に枢支される一対の外側バリヤ９２と一対の内側バリヤ９３を備えている。化粧板９０には、外側バリヤ９２と内側バリヤ９３を回動可能に支持する図示しない突起が設けられており、外側バリヤ９２と内側バリヤ９３は、この突起を中心として回動し、連動して化粧板９０の開口を開閉する。各バリヤ９２、９３は、バリヤ付勢ばね９４によって閉じ方向へ常時付勢されている。
【００４１】
バリヤ駆動環９１は、直径方向の二カ所に設けたバリヤ係合突起９１ａと、光軸方向の後方へ向けて延出する被動腕部９１ｂとを有している。バリヤ係合突起９１ａは、外側バリヤ９２または内側バリヤ９３に係合して、バリヤ駆動環９１の回転を該バリヤ９２、９３に伝達する。一方、被動腕部９１ｂは、第４外観筒３１の前部内周面の前壁部３１ｂに形成した貫通穴（不図示）を貫通して第４外観筒３１内に挿入されている。第３直進案内環３３の部分円筒状腕部３３ｂの先端部には、被動腕部９１ｂに摺接可能に傾斜ガイド面３３ｅが形成されている。
【００４２】
バリヤ駆動環９１は、駆動環付勢ばね９５によって、バリヤ９２及び９３を開放する方向に回動付勢されている。この駆動環付勢ばね９５は、バリヤ付勢ばね９４よりも付勢力が強く、バリヤ駆動環９１が駆動環付勢ばね９５の付勢力によって回動可能なフリーな状態では、駆動環付勢ばね９５の付勢力がバリヤ駆動環９１、バリヤ係合突起９１ａを介してバリヤ９２及び９３に伝わり、該バリヤ９２及び９３をバリヤ付勢ばね９４の付勢力に抗して開放位置に保持する。図３のワイド端と図４のテレ端の間の撮影状態では、上記の被動腕部９１ｂと傾斜ガイド面３３ｅが接触しておらずバリヤ駆動環９１はフリー状態であり、バリヤ９２及び９３は開放位置に保持されている。
【００４３】
ズームレンズ鏡筒が図３、図３２のワイド端位置から図２、図３１の収納位置に移動する過程で、第３直進案内環３３の傾斜ガイド面（バリヤ駆動面）３３ｅ（図９）がバリヤ駆動環９１の被動腕部９１ｂに当接して摺接を開始し、該バリヤ駆動環９１は、傾斜ガイド面３３ｅの形状に従って駆動環付勢ばね９５に抗する方向、すなわちバリヤ９２、９３の閉鎖方向回動を許容する方向に強制回動される。すると、バリヤ駆動環９１による規制が解除された各バリヤ９２、９３は、バリヤ付勢ばね９４の付勢力によって閉鎖位置まで回動し、閉鎖位置に保持される。
【００４４】
ズームレンズ鏡筒がワイド端位置から収納位置まで移動する過程において、第３外観筒３０に対して第２外観筒２３、および第２外観筒２３に対して第１外観筒１７は、一緒に回転するが光軸方向には相対移動しない空転区間を有する。つまり、ズームレンズ鏡筒全体として収納位置に達する前、本実施例では第４外観筒３１が第３外観筒３０に対する収納位置に達する前に、第２外観筒２３が第１外観筒１７に対する光軸方向収納位置に達して空転区間に入り、第２外観筒２３が第１外観筒１７と一緒に回転しながら後退を開始し、その後第３外観筒３０が第２外観筒２３に対する光軸方向収納位置に達して空転区間に入り、第３外観筒３０、第２外観筒２３および第１外観筒１７が一緒に回転しながら収納位置まで後退する。したがって、第３直進案内環３３の傾斜ガイド面３３ｅがバリヤ駆動環９１の被動腕部９１ｂに当接して摺接を開始するのとほぼ同時またはその後に第２外観筒２３、第３外観筒３０の順に空転区間に入り、第４外観筒３１に対する第３直進案内環３３の相対回転によって後退する第４外観筒３１と第３外観筒３０すなわち第３直進案内環３３の光軸方向相対移動によってバリヤ駆動環９１がバリヤ閉鎖方向に回動駆動される。
【００４５】
ズームレンズ鏡筒が逆に収納位置からワイド端位置まで繰り出される過程では、第１、第２、第３外観筒１７、２３、３０は一緒に回転しながら光軸方向に繰り出されるが、第２外観筒２３および第３外観筒３０は空転区間に位置するので第１外観筒１７と一緒に回転しながら一緒にワイド端方向に繰り出され、第４外観筒３１は回転しないで第３外観筒３０に対して相対的にワイド端方向に繰り出される。この空転区間において、第３直進案内環３３の傾斜ガイド面３３ｅが被動腕部９１ｂから離反する方向に移動するので、バリヤ駆動環９１が駆動環付勢ばね９５の付勢力によりバリヤ開方向に回動し、駆動環付勢ばね９５の付勢力によってバリヤ９２、９３を開放位置まで回動させる。そして、ワイド端に達する前に、傾斜ガイド面３３ｅは被動腕部９１ｂから離反して、バリヤ９２、９３は完全に開放位置に移動している。
【００４６】
また、このズームレンズ鏡筒の収納位置からワイド端位置までの繰出し過程において、先ず第３外観筒３０の空転区間が終了するので第３外観筒３０の第２外観筒２３に対する相対的繰出しが始まり、その後第２外観筒２３の空転区間が終了するので第２外観筒２３の第１外観筒１７に対する相対的繰出しも始まる。
【００４７】
前述のようにバリヤ９２、９３の開閉は、収納位置とワイド端位置間における第４外観筒３１と第３外観筒３０の相対的光軸方向移動に依存するストロークで行うので、第３外観筒３０および第２外観筒２３の一方または両方に空転区間を設けない構成もある。しかし、バリヤ９２、９３を開閉駆動するためのストロークを短く構成すると駆動トルクが大きくなるのでストロークは長い方が望ましいが、ストロークを長く構成すると、バリヤの開閉に要する第３外観筒３０の回転角が大きくなり、カメラボディに対する第４外観筒３１の突出量が多くなり過ぎてしまい、収納位置からワイド端位置までに必要なレンズ繰り出し量を越えてしまう。
第３外観筒３０のヘリコイド繰出し構造にのみ空転区間を設けることもできるが、この場合は、収納位置からワイド端位置までのレンズ繰り出しに要する鏡筒回転角に対するストロークが小さくなるので、空転区間の回転角を大きくする必要がある。つまり、第３外観筒３０に対する第４外観筒３１の光軸方向の相対移動距離が長くなるので、シャッタブロック用ＦＰＣ８０の第３外観筒３０を跨ぐ部分の遊びを多くしないとこの部分が突っ張ってしまう（図２、３）。
そこで本発明の実施例では、第２外観筒２３および第３外観筒３０にヘリコイド空転区間を設けて収納位置からワイド端位置までの回転角を大きくし、第４外観筒３１を繰出すカムのリードが小さくても第３外観筒３０に対する第４外観筒３１の光軸方向相対移動距離を長くすることを可能にしてある。
【００４８】
ヘリコイドの空転区間の構成について、図１８乃至図２７を参照して説明する。図１８(Ａ)は、第２直進案内環２５を縦断して示す斜視図、図１８（Ｂ）は第１直進案内環１８を縦断して示す斜視図、図１９は第２直進案内環２５の展開図、図２０乃至図２２は第２直進案内環２５と第３外観筒（カム・ヘリコイド環）３０の関係を示す展開図、図２３は第１直進案内環１８の展開図、図２４乃至図２６は第１直進案内環１８と第２ヘリコイド環２１との関係を示す展開図である。図２７（Ａ）、（Ｂ）、（Ｃ）には、第１直進案内環１８の雌ヘリコイド１８ｂ、ヘリコイド空転区間１８ｂ１および第２ヘリコイド環２１の雄ヘリコイド２１ａの関係を展開して示してある。
【００４９】
第２直進案内環２５の内周面の雌ヘリコイド２５ｂは、第２直進案内環２５の後端部（カメラボディ側）付近に幅広（周方向に幅広）のヘリコイド空転区間２５ｂ１とされている（図１９参照）。このヘリコイド空転区間２５ｂ１の光軸方向の長さと第３外観筒３０の雄ヘリコイド３０ａの光軸方向長さとはほぼ一致させてある。つまり、雄ヘリコイド３０ａがこのヘリコイド空転区間２５ｂ１に入ると、雄、雌ヘリコイド３０ａ、２５ｂのフランク面による拘束が解除されて、第２直進案内環２５と第３外観筒３０とは光軸方向移動が規制されて相対回転自在な結合状態となる。コマ逃がし溝２５ｃにも、このヘリコイド空転区間２５ｂ１における回転を許容するための空転区間２５ｃ１が形成されている。なお、ヘリコイド空転区間２５ｂ１は雄ヘリコイド３０ａを光軸方向には移動させないようにリード無しとしたが、光軸方向に僅かに移動させるように設定してもよい。また、ヘリコイド空転区間２５ｂ１のスラスト面２５ｂ２、および該スラスト面２５ｂ２と摺接する雄ヘリコイド３０ａの前後端面をフランク面として、これらもヘリコイド構造にすることもできる。
【００５０】
ズームレンズ鏡筒が収納位置にあるときは、雌ヘリコイド２５ｂにヘリコイド結合する雄ヘリコイド３０ａは、ヘリコイド空転区間２５ｂ１内に誘導されており、コマ逃がし溝２５ｃに嵌る案内コマ３０ｂは空転区間２５ｃ１内に誘導されている（図２０）。この収納位置からズームレンズ鏡筒がワイド端方向に繰り出されると、第２直進案内環２５に対して第３外観筒３０、雄ヘリコイド３０ａ、案内コマ３０ｂがワイド方向（図において右方向）に相対的に移動する。雄ヘリコイド３０ａがヘリコイド空転区間２５ｂ１に拘束されているので、第３外観筒３０は第２直進案内環２５に対して相対回転のみし、空転区間境界位置に至る（図２１）。空転区間境界位置では、雄ヘリコイド３０ａのフランク面は雌ヘリコイド２５ｂのフランク面と接触している。
【００５１】
ズームレンズ鏡筒が空転境界位置からさらにワイド位置方向に繰り出されると、第２直進案内環２５に対して第３外観筒３０は、雄ヘリコイド３０ａが雌ヘリコイド２５ｂに拘束されているので、雌ヘリコイド２５ｂのリードに従って回転しながら相対的に前進（図において上方に移動）し、ワイド端位置に達する（図２２）。
【００５２】
本実施の形態では第３外観筒３０を雄ヘリコイド３０ａ、第２直進案内環２５を雌ヘリコイド２５ｂとしたが、雄雌ヘリコイドの関係は逆にしてもよい。
【００５３】
第２直進案内環２５および第３外観筒３０と同様に、第１直進案内環１８と第２外観筒２３および第２ヘリコイド環２１も空転区間を有する。第１直進案内環１８の内周面の雌ヘリコイド１８ｂは、第１直進案内環１８の後端部（カメラボディ側）付近が幅広（周方向に幅広）のヘリコイド空転区間１８ｂ１とされている（図２３）。このヘリコイド空転区間１８ｂ１の光軸方向の長さと第２ヘリコイド環２１の雄ヘリコイド２１ａの光軸方向長さとはほぼ一致させてある。つまり、雄ヘリコイド２１ａがこのヘリコイド空転区間１８ｂ１に進入すると、雄雌ヘリコイド２１ａ、１８ｂのフランク面による拘束が解除されて、第１直進案内環１８とヘリコイド環２１（及び第２外観筒２３）とは光軸方向移動が規制された状態で相対回転自在な結合状態となる。コマ逃がし溝１８ｃにも、このヘリコイド空転区間１８ｂ１に対応した、リードのない空転区間１８ｃ１が形成されている。
【００５４】
ズームレンズ鏡筒が収納位置にあるときは、雌ヘリコイド１８ｂにヘリコイド結合する雄ヘリコイド２１ａは、ヘリコイド空転区間１８ｂ１内に誘導されており、コマ逃がし溝１８ｃに嵌る案内コマ２１ｂは空転区間１８ｃ１内に誘導されている（図２４、図２７（Ａ））。この収納位置からズームレンズ鏡筒がワイド端方向に繰り出されると、第１直進案内環１８に対して雄ヘリコイド２１ａおよび案内コマ２１ｂが、すなわちヘリコイド環２１及び第２外観筒２３がワイド方向（図において右方向）に相対的に移動する。この相対移動に際して、雄ヘリコイド２１ａはヘリコイド空転区間１８ｂ１内に、案内コマ２１ｂは空転区間１８ｃ１に進入しているので、第２外観筒２３および第２ヘリコイド環２１は第１直進案内環１８に対して相対回転のみし、空転区間境界位置に至る（図２５、図２７（Ｂ））。空転区間境界位置では、雄ヘリコイド２１ａのフランク面は雌ヘリコイド１８ｂのフランク面に接触している。
【００５５】
ズームレンズ鏡筒が空転境界位置からさらにワイド位置方向に繰り出されると、第１直進案内環１８に対して第２外観筒２３および第２ヘリコイド環２１は、雄ヘリコイド２１ａは雌ヘリコイド１８ｂに拘束されているので、雄雌ヘリコイド２１ａ、１８ｂおよびコマ逃がし溝１８ｃのリードに従って回転しながら前進（図において上方に移動）し、ワイド端位置に達する（図２６、図２７（Ｃ））。
【００５６】
この実施例では、第２外観筒２３を空転させるだけではバリヤの開閉をするのに不十分であるため、第３外観筒３０にも空転区間を設けてある。第３外観筒３０の空転量は、繰出し量を抑えることと繰出しのバランスを調整することを目的に設定してある。
さらにこの実施形態では、第３外観筒３０を空転させるヘリコイド空転区間２５ｂ１の回転角よりも、第２外観筒２３およびヘリコイド環２１を空転させるヘリコイド空転区間１８ｂ１の回転角の方を大きく設定してある。第３外観筒３０と第２外観筒２３とが同時に空転区間からヘリコイド区間に切り替わると負荷が急増するので、この負荷の急増を緩和することができる。
【００５７】
すでに説明したように本実施例では、この第３外観筒３０および第２外観筒２３の空転運動および第４外観筒３１の光軸方向相対移動により、レンズバリヤを開閉する。このようにこのズームレンズ鏡筒では、第４外観筒３１が収納位置とワイド端位置の間を移動するストロークと、第３外観筒３０および第２外観筒２３が収納位置とワイド端位置の間の空転区間で空転する回転角の二つの作用によってバリヤ駆動環９１をバリヤ閉鎖位置とバリヤ開放位置とに駆動するので、第４外観筒３１のストロークの短さを補うことができる。
【００５８】
図２８（Ａ）には第１直進案内環１８の雌ヘリコイド１８ｂのヘリコイド空転区間１８ｂ１付近を拡大して示してある。第１直進案内環１８は、通常合成樹脂の射出成形により形成される。そのための金型を放電加工の電極により加工すると、例えばヘリコイド空転区間１８ｂ１の角部には、いわゆるカッターＲと呼ばれる丸みがついてしまう（図２８（Ｂ））。ヘリコイド空転区間１８ｂ１の角部にこのようなカッターＲがつくと、ヘリコイド空転区間１８ｂ１のスラスト面１８ｂ２、１８ｂ２の周方向長が短くなり、雄ヘリコイド２１ａとの接触面積も小さくなるので、雄ヘリコイド２１ａに干渉し、またスラスト面１８ｂ２による雄ヘリコイド２１ａのスラスト方向規制力が弱く不安定になってしまう。そこで本実施例では、ヘリコイド空転区間１８ｂ１の光軸方向に離反した前後のスラスト面１８ｂ２それぞれに沿って周方向溝１８ｅを形成し、この周方向溝１８ｅによりカッターＲを削除した（図２８（Ｃ））。周方向溝１８ｅの幅（光軸方向幅）は、カッターＲを削除できる幅、すなわち、ほぼカッターＲの半径程度に設定する。
【００５９】
この実施例では、第１直線案内環１８の周方向溝１８ｅと同様の周方向溝２５ｅが、第２直進案内環２５のヘリコイド空転区間２５ｂ１の前部および後部のスラスト受け面に沿って形成されている。
【００６０】
また、雄ヘリコイド２１ａがこのヘリコイド空転区間１８ｂ１から雌ヘリコイド１８ｂに入るときに、第２ヘリコイド環２１と第１直進案内環１８が軸ずれしたり傾いたりしていると、雄ヘリコイド２１ａの端面がスラスト面１８ｂ２に当接して雌ヘリコイド１８ｂに進入できない場合がある。そこで本発明の実施形態では、第１直進案内環１８および第２直進案内環２５の後端部付近の内周面に、ブレ防止部として、内向きフランジ状の嵌合部（凸状部）１８ｆ、２５ｆを周方向に突設形成してある（図１８（Ａ）、（Ｂ））。これらの嵌合部１８ｆ、２５ｆには、収納位置まで後退した第２ヘリコイド環２１、第３外観筒３０が摺接可能な状態で隙間が無く嵌る（図２９）。そして、第２ヘリコイド環２１、第３外観筒３０は、それそれ嵌合部１８ｆ、２５ｆと摺接しながら空転区間を回転する。したがって、空転区間における第２ヘリコイド環２１、第３外観筒３０のガタも防止される。
【００６１】
このように嵌合部１８ｆ、２５ｆによって雄ヘリコイド２１ａ、３０ａの直径方向の位置が規制されるので、雄ヘリコイド２１ａ、３０ａがヘリコイド空転区間１８ｂ１、２５ｂ１から雌ヘリコイド１８ｂ、２５ｂに滑らかにかつ確実に進入できる。進入したらその後、ヘリコイド作用により、第２ヘリコイド環２１、第３外観筒３０を、ワイド端位置（図３０）からテレ端位置またテレ端位置からワイド端位置まで回転しながら進退させることができる。
【００６２】
なお、本実施の形態では第１直進案内環１８および第２直進案内環２５の内周面に嵌合部１８ｆ、２５ｆを突設したが、第２ヘリコイド環２１、第３外観筒３０の外周面に嵌合部１８ｆ、２５ｆと同様に作用する突起などを形成する構成でもよい。また、ヘリコイド空転区間１８ｂ１、２５ｂ１の底面をヘリコイド１８ｂ、２５ｂとの境界部から徐々に高くして収納位置手前でヘリコイド１８ｂ、２５ｂの底面とヘリコイド２１ａ、３０ｂの頂面との遊びを無くす構成も可能である。
【００６３】
【発明の効果】
以上の説明から明らかな通り本発明は、ヘリコイド環に設けられたギヤの端部のギヤにストッパ部材を当接させて回転繰出しを規制する鏡筒において、ヘリコイド環のギヤ部の終端部の移動軌跡がフレキシブルプリント基板と交差しても、干渉防止部材によってフレキシブル基板がヘリコイドやギヤ部の終端の歯と干渉するのを排除できる。
【図面の簡単な説明】
【図１】本発明を適用したズームレンズ鏡筒の実施形態を示す、構成部材の分解斜視図である。
【図２】同ズームレンズ鏡筒の収納状態の上半断面図である。
【図３】同ズームレンズ鏡筒のワイド端撮影状態の上半断面図である。
【図４】同ズームレンズ鏡筒のテレ端撮影状態の上半断面図である。
【図５】同ズームレンズ鏡筒を繰り出した状態の斜視図である。
【図６】図５から鏡筒外観部材の一部を取り外した状態のズームレンズ鏡筒の斜視図である
【図７】図６よりもさらに分解した状態のズームレンズ鏡筒の斜視図である
【図８】第１外観筒と第２外観筒の単体斜視図である。
【図９】第３直進案内環の単体斜視図である。
【図１０】第３直進案内環とシャッタブロックの関係を表す分解斜視図である。
【図１１】第３直進案内環の絞制御カム溝を示す、該第３直進案内環の展開図である。
【図１２】カム環のカム溝形状例を示す、該カム環の内面の展開図である。
【図１３】図２ないし図４に全体構造を示すズームレンズ鏡筒の制御系を示すブロック図である。
【図１４】同ズームレンズ鏡筒の収納位置における第２外観筒、第２ヘリコイド環、第２直線案内環および案内コマの関係を示す展開図である。
【図１５】同ズームレンズ鏡筒のテレ端位置における第２外観筒、第２ヘリコイド環、第２直線案内環および案内コマの関係を示す展開図である。
【図１６】同ズームレンズ鏡筒の分解・組み立て位置における第２外観筒、第２ヘリコイド環、第２直線案内環および案内コマの関係を示す展開図である。
【図１７】同ズームレンズ鏡筒の分解・組み立て位置における第２外観筒、第２ヘリコイド環、第２直線案内環および案内コマの関係を第２外観筒を取り外した状態で示す展開図である。
【図１８】  (Ａ)は、同ズームレンズ鏡筒の第２直進案内環２５を縦断して示す斜視図、（Ｂ）は同ズームレンズ鏡筒の第３直進案内環１８を縦断して示す斜視図である。
【図１９】同ズームレンズ鏡筒の第２直進案内環を示す展開図である。
【図２０】同ズームレンズ鏡筒の収納状態における第２直進案内環２５の雌ヘリコイドと第３外観筒３０の雄ヘリコイドの関係を示す展開図である。
【図２１】同ズームレンズ鏡筒が空転区間境界位置まで繰り出されたときの第２直進案内環２５の雌ヘリコイドと第３外観筒３０の雄ヘリコイドの関係を示す展開図である。
【図２２】同ズームレンズ鏡筒がワイド端位置まで繰り出されたときの第２直進案内環の雌ヘリコイドと第３外観筒の雄ヘリコイドの関係を示す展開図である。
【図２３】同ズームレンズ鏡筒の第１直進案内環を示す展開図である。
【図２４】同ズームレンズ鏡筒が収納状態にあるときの第１直進案内環と第２外観筒２３および第２ヘリコイド環との関係を示す展開図である。
【図２５】同ズームレンズ鏡筒が空転区間境界位置にあるときの第１直進案内環と第２外観筒２３および第２ヘリコイド環との関係を示す展開図である。
【図２６】同ズームレンズ鏡筒がワイド端位置に繰り出されたときの第１直進案内環と第２外観筒２３および第２ヘリコイド環との関係を示す展開図である。
【図２７】同ズームレンズ鏡筒の第１直進案内環の雌ヘリコイド、ヘリコイド空転区間および第２ヘリコイド環の雄ヘリコイドの関係を展開して示す図であって、(Ａ)は収納状態、（Ｂ）は空転区間境界位置、（Ｃ）はワイド端位置にあるときの様子を示す図である。
【図２８】（Ａ）は第１直進案内環の雌ヘリコイド、ヘリコイド空転区間の形状を模式的に示す図、（Ｂ）は金型制作の際に生じる問題を説明する図、（Ｃ）はこの問題を解決する本発明の実施の形態を示す図である。
【図２９】同ズームレンズ鏡筒の第１直進案内環および第２直進案内環の後端部付近の内周面に周方向に延びる凸状部を形成した実施形態の収納状態の上半断面図である。
【図３０】同ズームレンズ鏡筒の第１直進案内環および第２直進案内環の後端部付近の内周面に周方向に延びる凸状部を形成した実施形態のワイド端撮影状態の上半断面図である。
【図３１】同ズームレンズ鏡筒において、レンズバリヤが閉じられた状態のシャッタブロック付近を拡大した上端断面図である。
【図３２】同ズームレンズ鏡筒において、レンズバリヤが開かれた状態を示す、図２４と同様の上端断面図である。
【図３３】同ズームレンズ鏡筒のテレ端ストッパ構造を示す、第１ヘリコイド環および第１外観筒の斜視図である。
【図３４】同ズームレンズ鏡筒の第１ヘリコイド環の展開図である。
【図３５】同ズームレンズ鏡筒をテレ端状態にして下方から示す斜視図である。
【図３６】同ズームレンズ鏡筒のフレキシブルプリント基板が第１ヘリコイド環のギヤに干渉するのを防止する構造を示す、第１ヘリコイド環および第１外観筒の斜視図である。
【図３７】フレキシブルプリント基板が第１ヘリコイド環のギヤに干渉する場合の様子を示す斜視図である。
【図３８】フレキシブルプリント基板が第１ヘリコイド環のギヤに干渉する場合の様子を拡大して示す斜視図である。
【符号の説明】
Ｌ１  第１変倍レンズ群
Ｌ２  第２変倍レンズ群
Ｏ  光軸
Ｓ１  第１サブ群
Ｓ２  第２サブ群
１１  カメラボディ
１２  固定筒
１２ａ  雌ヘリコイド
１２ｂ  直進案内溝
１４  第１ヘリコイド環
１４ａ  雄ヘリコイド
１４ａ１  干渉防止突部
１４ｂ  ギヤ
１４ｂ１  端部の歯
１４ｃ  ストッパ進入空間
１４１  結合部
１５  ズーミング用モータ
１６  ピニオン
１７  第１外観筒
１７ａ  コマ案内溝
１７１  結合部
１７２  内周溝
１７３  内周溝の切れ目
１８  第１直進案内環
１８ａ  直進案内突起
１８ｂ  雌ヘリコイド
１８ｂ１  ヘリコイド空転区間
１８ｂ２  スラスト面
１８ｃ  コマ逃がし溝
１８ｄ  直進案内溝
１８ｅ  周方向溝
１８１  抜け止めキー
１９  ブラシ
２０  コード板２０
２１  第２ヘリコイド環
２１ａ  雄ヘリコイド
２１ｂ  案内コマ
２１１  結合部
２３  第２外観筒
２３ａ  コマ案内溝
２３１  結合部
２３２  内周溝
２３３  内周溝の切れ目
２５  第２直進案内環
２５ａ  直進案内突起
２５ｂ  雌ヘリコイド
２５ｂ１  ヘリコイド空転区間
２５ｃ  コマ逃がし溝
２５ｄ  直進案内溝２５ｅ  周方向溝
２５ｆ  嵌合部
３０  第３外観筒（カム環）
３０ａ  雄ヘリコイド
３０ｂ  案内コマ
３１  第４外観筒（レンズ支持筒）
３１ａ  フォロア突起
３１ｂ  前壁部
３２  後群レンズ枠
３２ａ  直進案内突起
３２ｂ  フォロア突起
３３  第３直進案内環
３３ａ  直進案内突起
３３ｂ  部分円筒状腕部
３３ｃ  ３３ｄ  直進案内溝
３３ｅ  傾斜ガイド面
３５  ３６  有底カム溝
３６ａ  中間不連続位置
４０  シャッタブロック
８０  シャッタブロック用ＦＰＣ（フレキシブルプリント基板）
８１  制御回路
８１Ａ  焦点距離情報
８１Ｂ  被写体距離情報
８１Ｃ  被写体輝度情報
９１  バリヤ駆動環
９１ａ  バリヤ係合突起
９１ｂ  被動腕部
９２  外側バリヤ
９３  内側バリヤ
９４  バリヤ付勢ばね
９５  駆動環付勢ばね
１０１  ストッパ
【図１】
0003742562.tif 000002
【図２】
0003742562.tif 000003
【図３】
0003742562.tif 000004
【図４】
0003742562.tif 000005
【図５】
0003742562.tif 000006
【図６】
0003742562.tif 000007
【図７】
0003742562.tif 000008
【図８】
0003742562.tif 000009
【図９】
0003742562.tif 000010
【図１０】
0003742562.tif 000011
【図１１】
0003742562.tif 000012
【図１２】
0003742562.tif 000013
【図１３】
0003742562.tif 000014
【図１４】
0003742562.tif 000015
【図１５】
0003742562.tif 000016
【図１６】
0003742562.tif 000017
【図１７】
0003742562.tif 000018
【図１８】
0003742562.tif 000019
【図１９】
0003742562.tif 000020
【図２０】
0003742562.tif 000021
【図２１】
0003742562.tif 000022
【図２２】
0003742562.tif 000023
【図２３】
0003742562.tif 000024
【図２４】
0003742562.tif 000025
【図２５】
0003742562.tif 000026
【図２６】
0003742562.tif 000027
【図２７】
0003742562.tif 000028
【図２８】
0003742562.tif 000029
【図２９】
0003742562.tif 000030
【図３０】
0003742562.tif 000031
【図３１】
0003742562.tif 000032
【図３２】
0003742562.tif 000033
【図３３】
0003742562.tif 000034
【図３４】
0003742562.tif 000035
【図３５】
0003742562.tif 000036
【図３６】
0003742562.tif 000037
【図３７】
0003742562.tif 000038
【図３８】
0003742562.tif 000039